【手続補正書】
【提出日】平成28年8月12日(2016.8.12)
【手続補正１】
【補正対象書類名】特許請求の範囲
【補正対象項目名】全文
【補正方法】変更
【補正の内容】
【特許請求の範囲】
【請求項１】
ユーザ感情を電子媒体に関連付ける方法であって、
デバイスのユーザと前記デバイスに統合された生体電位電極アレイとの間の接触を検出することと、
前記電子媒体が前記ユーザによってキャプチャされるか、前記ユーザに対して再生されるか、提示されるか、またはそれらの組み合わせのうちの少なくとも１つであると前記デバイスが検出することと、
前記電子媒体が前記ユーザによってキャプチャされるか、前記ユーザに対して提示されるか、再生されるか、またはそれらの組み合わせのうちの少なくとも１つであると検出することに少なくとも部分的に基づいて、前記生体電位電極アレイを介して前記ユーザの皮膚電気データを取得することと、
前記取得された皮膚電気データに少なくとも部分的に基づいて前記ユーザ感情を導出することと、
前記導出されたユーザ感情を、キャプチャされるか、提示されるか、再生されるか、またはそれらの組み合わせのうちの少なくとも１つである前記電子媒体に関連付けることと
を備える方法。
【請求項２】
前記デバイスの前記ユーザと前記生体電位電極アレイとの間の前記接触を検出することは、前記キャプチャを検出することに応答することに少なくとも部分的に基づく、請求項１に記載の方法。
【請求項３】
前記デバイスの前記ユーザと前記生体電位電極アレイとの間の前記接触を検出することは、前記再生を検出することに応答することに少なくとも部分的に基づく、請求項１に記載の方法。
【請求項４】
前記デバイスの前記ユーザと前記生体電位電極アレイとの間の前記接触を検出することは、前記提示を検出することに応答することに少なくとも部分的に基づく、請求項１に記載の方法。
【請求項５】
前記デバイス上にインストールされたアプリケーションの起動を検出することと、
ここにおいて、前記デバイスの前記ユーザと前記生体電位電極アレイとの間の前記接触を検出することは、前記起動を検出することに応答することに少なくとも部分的に基づく、
をさらに備える、請求項１に記載の方法。
【請求項６】
前記アプリケーションがカメラアプリケーションである、請求項５に記載の方法。
【請求項７】
重力に対する前記デバイスの配向を検出することと、
ここにおいて、前記デバイスの前記ユーザと前記生体電位電極アレイとの間の前記接触を検出することは、前記配向を検出することに応答することに少なくとも部分的に基づく
をさらに備える、請求項１に記載の方法。
【請求項８】
前記配向が横方向配向である、請求項７に記載の方法。
【請求項９】
前記皮膚電気データを取得することが、
前記ユーザの皮膚と接触していることが電気的に検出された前記生体電位電極アレイの電極タイルに少なくとも部分的に基づいて、前記生体電位電極アレイを動的に構成することと、
前記構成された生体電位電極アレイから前記皮膚電気データを取得することと
を備える、請求項１に記載の方法。
【請求項１０】
前記生体電位電極アレイを動的に構成することが、
前記生体電位電極アレイ内に第１の活性電極エリアを形成するために、少なくとも２つの隣接する電極タイルを電気的に結合すること
を備える、請求項９に記載の方法。
【請求項１１】
前記ユーザ感情を導出することが、
前記皮膚電気データを複数の感情状態のうちの１つに相関させること
を備える、請求項１に記載の方法。
【請求項１２】
前記導出されたユーザ感情を前記電子媒体に関連付けることが、
前記導出されたユーザ感情を前記電子媒体のメタデータとして保存すること
を備える、請求項１に記載の方法。
【請求項１３】
前記導出されたユーザ感情を前記電子媒体に関連付けることが、
前記ユーザ感情を、前記電子媒体に関連付けられたスキーマで保存すること
を備える、請求項１に記載の方法。
【請求項１４】
前記デバイス上に、前記ユーザ感情を編集するためのユーザインターフェースを提示すること
をさらに備える、請求項１に記載の方法。
【請求項１５】
前記電子媒体が画像である、請求項１に記載の方法。
【請求項１６】
前記電子媒体がビデオである、請求項１に記載の方法。
【請求項１７】
前記電子媒体がオーディオ記録である、請求項１に記載の方法。
【請求項１８】
前記デバイスが携帯電話である、請求項１に記載の方法。
【請求項１９】
前記デバイスがカメラである、請求項１に記載の方法。
【請求項２０】
前記生体電位電極アレイが、
前記デバイスの１つの隅に、前記デバイスの少なくとも側端部に配置される一群の電極
を備える、請求項１に記載の方法。
【請求項２１】
前記生体電位電極アレイが、
複数の電極群を備え、各電極群が、前記デバイスの４隅のうちの異なる１つに配置され、各電極群が、前記デバイスの少なくとも側端部に配置されている
請求項１に記載の方法。
【請求項２２】
ユーザ感情を電子媒体に関連付けるためのデバイスが、
プロセッサと、
前記プロセッサと電子通信しているメモリと、
前記メモリに記憶された命令と
を備え、前記命令が、
前記デバイスのユーザと前記デバイスに統合された生体電位電極アレイとの間の接触を検出し、
前記電子媒体が前記ユーザによってキャプチャされるか、前記ユーザに対して再生されるか、提示されるか、またはそれらの組み合わせのうちの少なくとも１つであると前記デバイスが検出し、
前記電子媒体が前記ユーザによってキャプチャされるか、前記ユーザに対して提示されるか、再生されるか、またはそれらの組み合わせのうちの少なくとも１つであると検出することに少なくとも部分的に基づいて、前記生体電位電極アレイを介して前記ユーザの皮膚電気データを取得し、
前記取得された皮膚電気データに少なくとも部分的に基づいて前記ユーザ感情を導出し、
前記導出されたユーザ感情を、キャプチャされるか、提示されるか、再生されるか、またはそれらの組み合わせのうちの少なくとも１つである前記電子媒体に関連付ける
ように前記プロセッサによって実行可能である、デバイス。
【請求項２３】
前記命令が、
前記キャプチャを検出することに応答することに少なくとも部分的に基づいて、前記デバイスの前記ユーザと前記生体電位電極アレイとの間の接触を検出する
ようにさらに前記プロセッサによって実行可能である、請求項２２に記載のデバイス。
【請求項２４】
前記命令が、
前記再生を検出することに応答することに少なくとも部分的に基づいて、前記デバイスの前記ユーザと前記生体電位電極アレイとの間の接触を検出する
ようにさらに前記プロセッサによって実行可能である、請求項２２に記載のデバイス。
【請求項２５】
前記命令が、
前記提示を検出することに応答することに少なくとも部分的に基づいて、前記デバイスの前記ユーザと前記生体電位電極アレイとの間の接触を検出する
ようにさらに前記プロセッサによって実行可能である、請求項２２に記載のデバイス。
【請求項２６】
前記導出されたユーザ感情を前記電子媒体に関連付けるための前記命令が、
前記導出されたユーザ感情を前記電子媒体のメタデータとして保存する
ための命令を備える、請求項２２に記載のデバイス。
【請求項２７】
前記導出されたユーザ感情を前記電子媒体に関連付けるための前記命令が、
前記ユーザ感情を、前記電子媒体に関連付けられたスキーマで保存する
ための命令を備える、請求項２２に記載のデバイス。
【請求項２８】
前記生体電位電極アレイをさらに備え、前記生体電位電極アレイが、
前記デバイスの１つの隅に、前記デバイスの少なくとも側端部に配置される一群の電極
を備える、請求項２２に記載のデバイス。
【請求項２９】
前記生体電位電極アレイをさらに備え、前記生体電位電極アレイが、
複数の電極群を備え、各電極群が、前記デバイスの４隅のうちの異なる１つに配置され、各電極群が、前記デバイスの少なくとも側端部に配置されている
請求項２２に記載のデバイス。
【請求項３０】
ユーザ感情を電子媒体に関連付けるための装置であって、
デバイスのユーザと前記デバイスに統合された生体電位電極アレイとの間の接触を検出するための手段と、
前記電子媒体が前記ユーザによってキャプチャされるか、前記ユーザに対して再生されるか、提示されるか、またはそれらの組み合わせのうちの少なくとも１つであると前記デバイスが検出するための手段と、
前記電子媒体が前記ユーザによってキャプチャされるか、前記ユーザに対して提示されるか、再生されるか、またはそれらの組み合わせのうちの少なくとも１つであると検出することに少なくとも部分的に基づいて、前記生体電位電極アレイを介して前記ユーザの皮膚電気データを取得するための手段と、
前記取得された皮膚電気データに少なくとも部分的に基づいて前記ユーザ感情を導出するための手段と、
前記導出されたユーザ感情を、キャプチャされるか、提示されるか、再生されるか、またはそれらの組み合わせのうちの少なくとも１つである前記電子媒体に関連付けるための手段と
を備える装置。
【請求項３１】
前記デバイスの前記ユーザと前記生体電位電極アレイとの間の前記接触を検出するための前記手段が、少なくとも部分的に前記キャプチャを検出することに応答して前記接触を検出する、請求項３０に記載の装置。
【請求項３２】
前記デバイスの前記ユーザと前記生体電位電極アレイとの間の前記接触を検出するための前記手段が、少なくとも部分的に前記再生を検出することに応答して前記接触を検出する、請求項３０に記載の装置。
【請求項３３】
前記デバイスの前記ユーザと前記生体電位電極アレイとの間の前記接触を検出するための前記手段が、少なくとも部分的に前記提示を検出することに応答して前記接触を検出する、請求項３０に記載の装置。
【請求項３４】
前記導出されたユーザ感情を前記電子媒体に関連付けるための前記手段が、
前記導出されたユーザ感情を前記電子媒体のメタデータとして保存するための手段
を備える、請求項３０に記載の装置。
【請求項３５】
前記導出されたユーザ感情を前記電子媒体に関連付けるための前記手段が、
前記ユーザ感情を、前記電子媒体に関連付けられたスキーマで保存するための手段
を備える、請求項３０に記載の装置。
【請求項３６】
ユーザ感情を電子媒体に関連付けるためのコンピュータプログラム製品であって、前記コンピュータプログラム製品が非一時的コンピュータ可読媒体を備え、前記非一時的コンピュータ可読媒体が、
デバイスのユーザと前記デバイスに統合された生体電位電極アレイとの間の接触を検出し、
前記電子媒体が前記ユーザによってキャプチャされるか、前記ユーザに対して再生されるか、提示されるか、またはそれらの組み合わせのうちの少なくとも１つであると前記デバイスが検出し、
前記電子媒体が前記ユーザによってキャプチャされるか、前記ユーザに対して提示されるか、再生されるか、またはそれらの組み合わせのうちの少なくとも１つであると検出することに少なくとも部分的に基づいて、前記生体電位電極アレイを介して前記ユーザの皮膚電気データを取得し、
前記取得された皮膚電気データに少なくとも部分的に基づいて前記ユーザ感情を導出し、
前記導出されたユーザ感情を、キャプチャされるか、提示されるか、再生されるか、またはそれらの組み合わせのうちの少なくとも１つである前記電子媒体に関連付ける
ようにプロセッサによって実行可能な命令を記憶する、コンピュータプログラム製品。